(57)【特許請求の範囲】
【請求項１】
装置本体に対して所定の移動範囲内で二次元的な移動が可能なように備えられた可動部の周囲を覆う目隠し構造であって、
前記可動部が遊貫状態で挿通される第１の孔部、および該第１の孔部に挿通された前記可動部の周囲を覆う第１の板部を有する板状部材からなり、前記第１の孔部の内周に当接した前記可動部の移動に応じて二次元的に移動可能な第１の目隠し板と、
前記第１の目隠し部材と互いに平行に設けられ、前記可動部が遊貫状態で挿通される第２の孔部、および該第２の孔部に挿通された前記可動部の周囲を覆う第２の板部を有する板状部材からなり、自身に対する前記第１の目隠し板の二次元的な移動を可能にするとともに、その移動を前記移動範囲より小さい範囲に規制し、前記第１の目隠し板に押圧されて、前記移動範囲に含まれる第１の方向に移動可能な第２の目隠し板を有する、可動部の目隠し構造。
【請求項２】
前記第１の目隠し板および前記第２の目隠し板と平行に設けられ、前記可動部が遊貫状態で挿通される第３の孔部、および該第３の孔部に挿通された前記可動部の周囲を覆う第３の板部を有する板状部材からなり、自身に対する前記第２の目隠し板の前記第１の方向への移動を可能にし、前記第２の目隠し板に押圧されて、前記移動範囲に含まれ前記第１の方向と異なる第２の方向に移動可能な第３の目隠し板をさらに有する、請求項１記載の可動部の目隠し構造。
【請求項３】
前記第３の目隠し板に対する前記第２の目隠し板の前記第１の方向への移動を可能にするとともに、その移動を所定範囲内に規制するように相互に作用する手段が前記第２の目隠し板および前記第３の目隠し板にそれぞれ備えられている、請求項２記載の可動部の目隠し構造。
【請求項４】
前記装置本体に対する前記第３の目隠し板の前記第２の方向への移動を可能にするとともに、その移動を所定範囲内に規制するように相互に作用する手段が前記第３の目隠し板および前記装置本体にそれぞれ備えられている、請求項２または３記載の可動部の目隠し構造。
【請求項５】
前記第１の方向と前記第２の方向との角度が９０度である、請求項２〜４のいずれか１項に記載の可動部の目隠し構造。
【請求項６】
前記可動部はレンズを含んでいる、請求項１〜５のいずれか１項に記載の可動部の目隠し構造。
【発明の詳細な説明】
【０００１】
【発明の属する技術分野】
本発明は、装置に備えられた可動部の周囲を埋める目隠し構造に関し、特に、画像投影装置（プロジェクタ）に備えられたレンズのように所定方向に移動可能な可動部の周囲の装置本体との隙間を隠す目隠し構造に関する。
【０００２】
【従来の技術】
一般に、所定方向に移動可能な可動部を備える装置において、可動部と装置本体開口部の隙間を隠すための目隠し構造は、可動部周囲の開口部分を覆うことにより、開口部分から装置内部が露出したり、装置内に異物等が侵入することを防止する。
【０００３】
第１の従来例は、画像投影装置に備えられた移動可能な投影用レンズの周囲を覆う目隠し構造において、装置本体の開口部のサイズに可動部の移動量とマージンを単純に加算したサイズの目隠し板が用いられる。
【０００４】
この目隠し構造においては可動部の移動とともに目隠し板が移動する。そして、目隠し板のサイズが移動量より大きいため、装置本体開口部は常に覆われ、装置内部が露出したり、装置内部に異物が混入することが防止できる。
【０００５】
第２の従来例として、特願２００１−２６２３１４号の明細書および図面に記載されたものがある。図９は、本従来例の可動部の目隠し構造を示す分解斜視図である。
【０００６】
図９では、画像投影装置に備えられた投影用レンズが目隠しの対象となる可動部である。また、投影用レンズの背面側（装置内部側）から見た目隠し構造の分解斜視図が可動部と共に示されている。
【０００７】
図９を参照すると、可動部となるレンズ１０５は、画像投影装置の本体開口部（不図示）から外部に突出しており、装置本体に対して上下左右方向に移動可能に配設されている。
【０００８】
レンズ１０５と本体開口部の隙間を覆う目隠し構造は、固定用ベース１０１、横方向用目隠し板１０２、第１の縦方向用目隠し板１０３、第２縦方向用目隠し板１０４を有している。
【０００９】
固定用ベース１０１は、本体開口部に固着される枠状部材であり、レンズ１０５が上下左右方向に移動可能な状態で挿通される。
【００１０】
固定用ベース１０１には、レンズ１０５の横方向（図９中では上下方向）の移動のために、枠体外縁の上端側（図９中では左側）および下端側（図９中では右側）に横方向用ガイド爪１０６が突設されている。
【００１１】
横方向用目隠し板１０２は、レンズ１０５が遊貫状態で挿通される孔部１０２ａと、この孔部１０２ａに挿通されたレンズ１０５の周囲を覆う板部１０２ｂからなる板状部材である。孔部１０２ａの縦方向（上下方向）（図９中では横方向）の大きさは、レンズ１０５の縦方向の移動が規制されない大きさである。また、孔部１０２ａの横方向（左右方向）（図９中では縦方向）の大きさは、レンズ１０５の外周よりほぼ一回り程度大きい。
【００１２】
また、横方向用目隠し板１０２には、横方向用ガイド溝１０７が形成されている。
【００１３】
目隠し板１０２の横方向用ガイド溝１０７と、固定用ベース１０１のガイド爪１０６とが係合することにより、レンズ１０５の横方向の移動に応じて、固定用ベース１０１に対して横方向に移動可能に目隠し板１０２が取り付けられる。
【００１４】
さらに、横方向用目隠し板１０２には、レンズ１０５の縦方向（図９中では横方向）の移動のために、板外縁の左右（図９中では上下）端側に縦方向用ガイド爪１０８が突設されている。
【００１５】
第１および第２の縦方向用目隠し板１０３，１０４は、それぞれ、レンズ１０５が遊貫状態で挿通される孔部１０３ａ，１０４ａと、孔部１０３ａ，１０４ａに挿通されたレンズ１０５の周囲を覆う板部１０３ｂ，１０４ｂとからなる板状部材である。
【００１６】
第１および第２の縦方向用目隠し板１０３，１０４の孔部１０３ａ，１０４ａの横方向（図９中では縦方向）の大きさは、レンズ１０５の外周よりほぼ一回り大きい。また、第１の縦方向用目隠し板１０３の孔部１０３ａの縦方向（図９中では横方向）は、第２の縦方向用目隠し板１０４の孔部１０４ａの縦方向より大きく形成されている。
【００１７】
また、第１および第２の縦方向用目隠し板１０３，１０４には、第１および第２の縦方向用ガイド溝１０９，１１０がそれぞれ形成されている。
【００１８】
そして、第１および第２の縦方向用目隠し板１０３，１０４の第１および第２の縦方向用ガイド溝１０９，１１０と、横方向用目隠し板１０２の縦方向用ガイド爪１０８とが係合することにより、レンズ１０５の縦方向（図９中の横方向）の移動に応じて、横方向用目隠し板１０２に対して横方向（図９中の縦方向）に移動可能に第１および第２の縦方向用目隠し板１０３，１０４が取り付けられる。
【００１９】
このような目隠し構造では、２方向に移動する各目隠し板によってレンズ１０５の周囲は二次元の範囲で覆われるので、本体開口部から装置本体の内部が露出したり、装置内部に異物が混入することが防止される。
【００２０】
そして、レンズ５が横方向（左右方向）（図９中の縦方向）あるいは縦方向（上下方向）（図９中の横方向）に移動すると、レンズ５の外周が各目隠し板の孔部内周に当接する。そして、移動するレンズ５によって各目隠し板が押圧されて、各目隠し板がレンズ５とともに移動する。そのため、移動するレンズ５の周囲は常に各目隠し板によって覆われて目隠しされる。
【００２１】
【発明が解決しようとする課題】
第１の従来例の可動部の目隠し構造では、１枚の目隠し板が可動部の移動と同じ移動量だけ移動することになる。そのため、目隠し構造では、移動量の２倍に、目隠し板と本体開口部の周囲の板状部材とのオーバーラップ分を加えた幅のスペースが可動部の周囲に必要とされていた。
【００２２】
可動部の移動量を大きくしようとすると、それに伴って目隠し板の移動量も大きくなる。そして、その結果として、目隠し構造を備えるプロジェクタ等の装置全体が大きくなってしまう。近年、プロジェクタ等の装置においては、レンズの移動範囲の拡大と、装置の小型軽量化という要請が強まっているが、第１の従来例ではその要請に応えることができなかった。
【００２３】
一方、第２の従来例の可動部の目隠し構造は、第１および第２の縦方向用目隠し板１０３，１０４により、レンズの縦方向（図９中の横方向）の移動量の拡大と、装置の小型化という要請に対応できるようになっている。しかし、目隠し板の部品数が多くなっている。例えば、可動部の２方向の移動量を大きくしようとすると、各方向毎に少なくとも２つの部品が必要なため、少なくとも４つの目隠し部材が必要となってしまう。
【００２４】
本発明の目的は、可動部の大きな移動量と、装置の小型軽量化とを少ない部品点数で実現した、可動部の目隠し構造を提供することである。
【００２５】
【課題を解決するための手段】
上記目的を達成するために、本発明の可動部の目隠し構造は、装置本体に対して所定の移動範囲内で二次元的な移動が可能なように備えられた可動部の周囲を覆う目隠し構造であって、
可動部が遊貫状態で挿通される第１の孔部、および第１の孔部に挿通された可動部の周囲を覆う第１の板部を有する板状部材からなり、第１の孔部の内周に当接した可動部の移動に応じて二次元的に移動可能な第１の目隠し板と、
第１の目隠し板と互いに平行に設けられ、可動部が遊貫状態で挿通される第２の孔部、および第２の孔部に挿通された可動部の周囲を覆う第２の板部を有する板状部材からなり、自身に対する第１の目隠し板の二次元的な移動を可能にするとともに、その移動を前記移動範囲より小さい範囲に規制し、第１の目隠し板に押圧されて、前記移動範囲に含まれる第１の方向に移動可能な第２の目隠し板を有している。
【００２６】
したがって、本発明の可動部の目隠し構造によれば、第１の目隠し板および第２の目隠し板の移動により、第１の方向について目隠し構造のスペースの２倍程度の移動量に対応できる。
【００２７】
また、本発明の可動部の目隠し構造は、第１の目隠し板および第２の目隠し板と平行に設けられ、可動部が遊貫状態で挿通される第３の孔部、および第３の孔部に挿通された可動部の周囲を覆う第３の板部を有する板状部材からなり、自身に対する第２の目隠し板の第１の方向への移動を可能にし、第２の目隠し板に押圧されて、移動範囲に含まれ第１の方向と異なる第２の方向に移動可能な第３の目隠し板をさらに有してもよい。
【００２８】
したがって、第１、第２および第３の目隠し板の移動により、第１および第２の方向を含む二次元的な移動について目隠し構造のスペースの２倍程度の移動量に対応できるので、部品数が少なくかつ小さなスペースの目隠し構造で、第１および第２の方向への移動量が大きい可動部の周囲を露出させることなく覆うことができる。
【００２９】
また、本発明の可動部の目隠し構造は、第３の目隠し板に対する第２の目隠し板の第１の方向への移動を可能にするとともに、その移動を所定範囲内に規制するように相互に作用する手段が第２の目隠し板および第３の目隠し板にそれぞれ備えられていてもよい。
【００３０】
したがって、可動部の所定の移動範囲内での移動に対応するとともに、第３の目隠し板に対して第２の目隠し板が必要以上に移動するのを防止できる。
【００３１】
また、本発明の可動部の目隠し構造は、装置本体に対する第３の目隠し板の第２の方向への移動を可能にするとともに、その移動を所定範囲内に規制するように相互に作用する手段が第３の目隠し板および装置本体にそれぞれ備えられていてもよい。
【００３２】
また、本発明の一態様によれば、第１の方向と第２の方向との角度が９０度である。
【００３３】
また、本発明の一態様によれば、可動部はレンズを含んでいる。
【００３４】
したがって、画像投影装置などを装置本体として移動可能なレンズについて、装置本体を大きくすること無く、また少ない部品数でレンズの移動範囲を拡大できる。
【００３５】
【発明の実施の形態】
図１〜３を参照して、本実施形態による、可動部周囲の目隠し構造の構成について説明する。
【００３６】
図１は、本発明の一実施形態にかかる目隠し構造を示す、可動部となるレンズの背面側から見た分解斜視図である。図２は、本実施形態にかかる目隠し構造を示す、レンズ背面側から見た組立て状態の斜視図である。図３は、本実施形態にかかる目隠し構造を示す、レンズ正面側から見た組立て状態の正面図である。図３では、目隠し構造と明確に区別するために、可動部となるレンズ５にハッチング線が付されている。
【００３７】
図１〜図３に示すように、本実施形態にかかる可動部の目隠し構造は、画像投影装置に備えられた投影用レンズを目隠しの対象となる可動部としている。目隠し構造は、固定用ベース１、横摺動目隠し板２、縦摺動目隠し板３および二次元摺動目隠し板４を備え、可動部であるレンズ５に対して目隠しをする。
【００３８】
レンズ５は、画像投影装置の本体開口部（不図示）から外部に突出するとともに、図３に示すように、装置本体に対して左右方向（横方向）および上下方向（縦方向）に移動可能に配設されている。
【００３９】
固定用ベース１は、不図示の本体開口部に固着される枠状部材であり、図１および図３に示すように、レンズ５が左右方向および上下方向に移動可能な状態で挿通できる孔部１ａを備えている。固定用ベース１の孔部１ａは、レンズ５の移動が規制されることのないように、レンズ５の移動範囲より十分に大きく形成されている図３参照）。
【００４０】
また、固定用ベース１には、図１に示すように、枠体外縁の上端側および下端側の４箇所に、横摺動用ガイド爪６が形成されている。横摺動用ガイド爪６は、後述する横摺動目隠し板２の横摺動用ガイド溝７に係合して、レンズ５の横方向の移動に伴う横摺動目隠し板２の横方向の移動をガイドし、また規制する。
【００４１】
横摺動目隠し板２は、図１に示すように、レンズ５が遊貫状態で挿通される孔部２ａと、この孔部２ａに挿通されたレンズ５の周囲を覆う板部２ｂからなる板状部材である。
【００４２】
この横摺動目隠し板２の孔部２ａは、レンズ５の縦方向（上下方向）の移動が規制されることのないよう、縦方向の大きさは、固定用ベース１の孔部１ａとほぼ同様の大きさとなっており、レンズ５の縦方向の移動範囲より十分に大きく形成されている（図３参照）。
【００４３】
一方、この孔部２ａの横方向（左右方向）の大きさは、レンズ５の幅にレンズ５の横方向移動量のほぼ半分を加算した大きさである。
【００４４】
また、横摺動目隠し板２には、図１および図２に示すように、板外縁の上端側および下端側の４箇所に、横摺動用ガイド溝７が形成されている。横摺動用ガイド溝７は、横方向に沿って形成されており、上述した固定用ベース１の横摺動用ガイド爪６と係合する。
【００４５】
横摺動用ガイド爪６と横摺動用ガイド溝７の係合によって、横摺動目隠し板２は、固定用ベース１に対して横方向に移動可能となるとともに、その移動範囲が規制される。
【００４６】
ここで、横摺動用ガイド溝７が横摺動目隠し板２の横方向の移動範囲を規制するため、横摺動用ガイド溝７の長さは、横摺動目隠し板２の移動に必要な長さ、すなわちレンズ５の横方向移動量のほぼ半分の長さである。
【００４７】
さらに、横摺動目隠し板２には、図１に示すように、板外縁の左右端側面の４箇所に、縦摺動用ガイド爪８が突設されている。
【００４８】
縦摺動用ガイド爪８は、縦方向に沿って形成されており、後述する縦摺動目隠し板３の縦摺動用ガイド溝９に係合する。
【００４９】
縦摺動用ガイド爪８と縦摺動用ガイド溝９の係合によって、縦摺動目隠し板３は、横摺動目隠し板２に対して縦方向に移動可能となるとともに、その移動範囲が規制される。
【００５０】
縦摺動目隠し板３は、図１に示すように、レンズ５が遊貫状態で挿通される孔部３ａと、この孔部３ａに挿通されたレンズ５の周囲を覆う板部３ｂからなる板状部材である。
【００５１】
縦摺動目隠し板３の孔部３ａの横方向の大きさは、横摺動目隠し板２の孔部２ａの横方向の大きさと同様である（図３参照）。
【００５２】
一方、孔部３ａの縦方向（上下方向）の大きさは、レンズ５の幅にレンズ５の縦方向移動量のほぼ半分を加算した大きさに形成されている。
【００５３】
また、この縦摺動目隠し板３には、図１および図２に示すように、板外縁の左右端側面の４四箇所に、縦摺動用ガイド溝９が形成されている。縦摺動用ガイド溝９は、縦方向に沿って形成されており、上述した横摺動目隠し板２の縦摺動用ガイド爪８と係合する。
【００５４】
縦摺動用ガイド爪８と縦摺動用ガイド溝９の係合によって、縦摺動目隠し板３は、横摺動目隠し板２に対して縦方向に移動可能となるとともに、その移動範囲が規制される。
【００５５】
ここで、縦摺動用ガイド溝９が縦摺動目隠し板３の縦方向の移動範囲を規制するため、縦摺動用ガイド溝９の長さは、縦摺動目隠し板３の移動に必要な長さ、すなわちレンズ５の縦方向移動量のほぼ半分の長さである。
【００５６】
さらに、縦摺動目隠し板３には、図１に示すように、板外縁の左右端側面の４隅に、二次元摺動用ガイド溝１０および押え板部１１が形成されている。
【００５７】
この二次元摺動用ガイド溝１０および押え板部１１は、縦摺動目隠し板３の板厚方向に隙間を持つように形成されており、後述する二次元摺動目隠し板４の板外縁の４隅と係合する。
【００５８】
二次元摺動用ガイド溝１０および押え板部１１と、二次元摺動目隠し板４の板外縁の４隅との係合によって、二次元摺動目隠し板４は、縦摺動目隠し板３に対して縦横方向に沿って移動可能となっている。
【００５９】
二次元摺動目隠し板４が縦摺動目隠し板３に対して移動可能であるとともに、縦摺動目隠し板３から外れないように、押え板部１１の長さは、二次元摺動目隠し板４の移動に必要な長さ、すなわち、縦横方向それぞれのレンズ５の移動量の半分＋αである。ここでαは、二次元摺動目隠し板４が縦摺動目隠し板３から外れないための長さである。
【００６０】
二次元摺動目隠し板４は、図１に示すように、レンズ５が遊貫状態で挿通される孔部４ａと、この孔部４ａに挿通されたレンズ５の周囲を覆う板部４ｂとからなる板状部材であり、弾性のある材質からなっている。
【００６１】
二次元摺動目隠し板４は、上述した縦摺動目隠し板３に、たわみを利用して取り付けられ、レンズ５の縦横方向の移動に伴って移動する。孔部４ａの大きさは、レンズ５の外周よりほぼ一回り大きい大きさに形成されている（図２および図３参照）。
【００６２】
一方、二次元摺動目隠し板４の板外縁は、二次元摺動目隠し板４の移動範囲を規制するために、縦摺動目隠し板３の二次元摺動用ガイド溝１０および押え板部１１内部での移動に必要な長さ、すなわち縦横方向それぞれ移動量のほぼ半分だけ縦摺動目隠し板３よりも小さい長さに形成されている。
【００６３】
このように、本実施形態の目隠し構造によれば、二次元方向に移動する二次元摺動目隠し板４が、縦方向に移動する縦摺動目隠し板３に取り付けられ、さらにその縦摺動目隠し板３が、横方向に移動する横摺動目隠し板２に取り付けられるているので、２方向（横および縦方向）に移動する目隠し板の移動範囲を合わせてレンズ５の周囲を覆うことができるので、少ないスペースかつ少ない部品数の目隠し板で、広範囲に移動するレンズ５の周囲を確実に目隠しすることができ、装置本体の内部が露出したり、装置内部に異物が混入することが防止される。
【００６４】
図４〜８を参照して、本実施形態による、可動部周囲の目隠し構造の動作について説明する。
【００６５】
図４は、本実施形態の可動部周囲の目隠し構造において、可動部を移動範囲の中心に位置させた状態を示す図である。図５は、本実施形態の可動部周囲の目隠し構造において、可動部を上側に移動させた状態を示す図である。図６は、本実施形態の可動部周囲の目隠し構造において、可動部をさらに上側に移動させた状態を示す図である。図４〜６では、目隠し構造と明確に区別するために、可動部となるレンズ５にハッチング線を付してある。
【００６６】
なお、横摺動目隠し板２および縦摺動目隠し板３は、横または縦方向の移動が可能なため、実際は重力などの影響により位置が変わるが、ここでは便宜的に重力などの影響を無視する。
【００６７】
まず、レンズ５が移動範囲の中心にある状態では（図４参照）、二次元摺動目隠し板４、縦摺動目隠し板３および横摺動目隠し板２は全て中心に位置してレンズ５の周囲を覆っている。この状態ではレンズ５による当接または押圧がないので、各目隠し板２〜４はいずれの方向にも移動していない。
【００６８】
次に、レンズ５が上方向に移動するとき、図５に示すように、移動したレンズ５の外周が二次元摺動目隠し板４の孔部４ａに当接し、二次元摺動目隠し板４が上方向に押圧される。二次元摺動目隠し板４はレンズ５によって押圧されると上方向に移動する。そして、二次元摺動目隠し板４の板外縁の上端が縦摺動目隠し板３の二次元摺動用ガイド溝１０の上端に当接するまで、二次元摺動目隠し板４が上方向に移動する（図５参照）。
【００６９】
次に、レンズ５がさらに上方向に移動すると、二次元摺動目隠し板４の板外縁の上端が、縦摺動目隠し板３の二次元摺動用ガイド溝１０の上端に当接し、縦摺動目隠し板３が上方向に押圧される。
【００７０】
縦摺動目隠し板３がレンズ５により押圧された二次元摺動目隠し板４によって押圧されると、縦摺動目隠し板３が上方向に移動する。
【００７１】
この縦摺動目隠し板３は、縦摺動目隠し板３の上側の縦摺動用ガイド溝９の下端と、横摺動目隠し板２の上側の縦摺動用ガイド爪８の下端とが当接するまで移動し、この当接により移動が規制され、それ以上は移動しない（図６参照）。
【００７２】
したがって、レンズ５もそれ以上は移動せず、この状態が二次元摺動目隠し板４およびレンズ５の上方向へ最大限移動した状態である。
【００７３】
また、図６に示すように、レンズ５の周囲は、各目隠し板２〜４で完全に覆われている。
【００７４】
なお、ここではレンズ５の上方向への移動を例示したが、レンズ５の下方向への移動は対称の動作となるため説明を省略する。
【００７５】
図７は、本実施形態の可動部周囲の目隠し構造において、可動部を右側に移動させた状態を示す図である。図８は、本実施形態の可動部周囲の目隠し構造において、可動部をさらに右側に移動させた状態を示す図である。図７，８では、目隠し構造と明確に区別するために、可動部となるレンズ５にハッチング線を付してある。
【００７６】
まず、レンズ５が移動範囲の中心にある状態では（図４参照）、二次元摺動目隠し板４、縦摺動目隠し板３および横摺動目隠し板２は全て中心に位置してレンズ５の周囲を覆っている。この状態ではレンズ５による当接または押圧がないので、各目隠し板２〜４はいずれの方向にも移動していない。
【００７７】
次に、レンズ５が右方向に移動するとき、図７に示すように、移動したレンズ５の外周が二次元摺動目隠し板４の孔部４ａに当接し、二次元摺動目隠し板４が右方向に押圧される。二次元摺動目隠し板４はレンズ５によって押圧されると右方向に移動する。
そして、二次元摺動目隠し板４の板外縁の右端が縦摺動目隠し板３の二次元摺動用ガイド溝１０の右端に当接するまで、二次元摺動目隠し板４が右方向に移動する（図７参照）。
【００７８】
次に、レンズ５がさらに右方向に移動すると、二次元摺動目隠し板４の板外縁の右端が、縦摺動目隠し板３の二次元摺動用ガイド溝１０の右端に当接し、縦摺動目隠し板３も右方向に押圧される。
【００７９】
縦摺動目隠し板３がレンズ５により押圧された二次元摺動目隠し板４によって押圧されると、縦摺動目隠し板３とともに、縦摺動目隠し板３を係合している横摺動目隠し板２が右方向に移動する。
【００８０】
この横摺動目隠し板２は、横摺動目隠し板２の横摺動用ガイド溝７の左端と、固定ベース１の横摺動用ガイド爪６の左端とが当接するまで移動し、この当接により移動が規制され、それ以上は移動しない（図８参照）。
【００８１】
したがって、レンズ５もこれ以上は移動せず、この状態が二次元摺動目隠し板４およびレンズ５の右方向へ最大限移動した状態である。
【００８２】
また、図８に示すように、レンズ５の周囲は、各目隠し板２〜４で完全に覆われている。
【００８３】
なお、ここではレンズ５の右方向への移動を例示したが、レンズの左方向への移動は対称の動作となるため説明を省略する。
【００８４】
以上説明したように、本実施形態にかかる可動部の目隠し構造によれば、レンズ５の周囲を露出させることなく覆うことができ、かつ、二次元摺動目隠し板４の移動量を大きくすることなく、約２倍の移動範囲でレンズ５を移動させることが可能となる。
【００８５】
これによって、目隠し構造を備えた装置本体を大型化させることなく、移動量の大きな可動部の周囲を確実に目隠しすることができる。
【００８６】
このように、本実施形態の可動部の目隠し構造は、従来構造では対応できなった、可動部の移動範囲の拡大、装置の小型軽量化を少ない部品数で実現することができ、特に、画像投影装置などにおいてレンズの移動範囲の拡大と装置全体の小型軽量化という相反する要請に応えることができる。
【００８７】
なお、本発明の可動部の目隠し構造は、本実施形態のみに限定されるものではなく、本発明の要旨の範囲で種々の変更を加えて実施することができることは言うまでもない。
【００８８】
例えば、本実施形態では、可動部となるレンズが、上下方向および左右方向の２方向に大きく移動するように構成されていたが、一方向の移動量が小さい場合は、二次元摺動目隠し板を係合する目隠し板を移動量の大きい方向に移動可能とし、その目隠し板を固定用ベースに直接係合する構造とすることで部品数を削減することができる。
【００８９】
また、本実施形態では、摺動用ガイド爪や摺動用ガイド溝はそれぞれ４箇所ずつ設けられているが、各摺動目隠し板が所定の動きを満足する限り２個以上いくつ設けられてもよい。
【００９０】
さらに、本実施形態では、目隠し構造の適用対象となる可動部として、画像投影装置のレンズを例示したが、その他の可動部であっても同様に本発明の目隠し構造を適用できる。
【００９１】
すなわち、本発明の目隠し構造は、少なくとも２方向に移動可能に配設される可動部であって、可動部周辺を覆う必要があるものであれば、どのような構成のものであってもよく、上述したレンズ以外にも、種々の可動部について、本発明の目隠し構造を適用することができる。
【００９２】
【発明の効果】
本発明の可動部の目隠し構造によれば、第１の目隠し板および第２の目隠し板の移動により、第１の方向について目隠し構造のスペースの２倍程度の移動量に対応できるので、部品数が少なくかつ小さなスペースの目隠し構造で、第１の方向への移動量が大きい可動部の周囲を露出させることなく覆うことができる。
【００９３】
また、第１、第２および第３の目隠し板の移動により、第１および第２の方向を含む二次元的な移動について目隠し構造のスペースの２倍程度の移動量に対応できるので、部品数が少なくかつ小さなスペースの目隠し構造で、第１および第２の方向への移動量が大きい可動部の周囲を露出させることなく覆うことができる。
【００９４】
また、可動部の所定の移動範囲内での移動に対応するとともに、各目隠し板が必要以上に移動するのを防止できる。
【００９５】
また、画像投影装置などを装置本体として移動可能なレンズについて、装置本体を大きくすること無く、また少ない部品数でレンズの移動範囲を拡大できる。
【図面の簡単な説明】
【図１】本発明の一実施形態にかかる目隠し構造を示す、可動部となるレンズの背面側から見た分解斜視図である。
【図２】本実施形態にかかる目隠し構造を示す、レンズ背面側から見た組立て状態の斜視図である。
【図３】本実施形態にかかる目隠し構造を示す、レンズ正面側から見た組立て状態の正面図である。
【図４】本実施形態の可動部周囲の目隠し構造において、可動部を移動範囲の中心に位置させた状態を示す図である。
【図５】本実施形態の可動部周囲の目隠し構造において、可動部を上側に移動させた状態を示す図である。
【図６】本実施形態の可動部周囲の目隠し構造において、可動部をさらに上側に移動させた状態を示す図である。
【図７】本実施形態の可動部周囲の目隠し構造において、可動部を右側に移動させた状態を示す図である。
【図８】本実施形態の可動部周囲の目隠し構造において、可動部をさらに右側に移動させた状態を示す図である。
【図９】従来の可動部の目隠し構造を示す分解斜視図である。
【符号の説明】
１    固定用ベース
２    横摺動目隠し板
３    縦摺動目隠し板
４    二次元摺動目隠し板
５    レンズ
６    横摺動用ガイド爪
７    横摺動用ガイド溝
８    縦摺動用ガイド爪
９    縦摺動用ガイド溝
１０    二次元摺動用ガイド溝
１１    押え板部
【図１】
0003641472.tif 000002
【図２】
0003641472.tif 000003
【図３】
0003641472.tif 000004
【図４】
0003641472.tif 000005
【図５】
0003641472.tif 000006
【図６】
0003641472.tif 000007
【図７】
0003641472.tif 000008
【図８】
0003641472.tif 000009
【図９】
0003641472.tif 000010